(57)【要約】【課題】塗り潰しを行なわなくて、ユーザの希望する色で塗られた原稿の生成を補助することができる画像処理装置を提供することを目的とする。【解決手段】本発明の画像処理装置は、原稿を読み取って原稿の画像データを生成する画像読取手段と、上記画像データから上記原稿に記載された枠を抽出する枠抽出手段と、上記原稿の抽出された枠内に塗られた色を上記画像データを用いて検出する色検出手段と、複数の色が検出された場合、抽出された枠内の上記画像データの内容を検出された色のうち１つの色に変換する色変換手段とを備える。【選択図】  図２
2006238385.tif 000002
【特許請求の範囲】
【請求項１】
原稿を読み取って原稿の画像データを生成する画像読取手段と、
上記画像データから上記原稿に記載された枠を抽出する枠抽出手段と、
上記原稿の抽出された枠内に塗られた色を上記画像データを用いて検出する色検出手段と、
複数の色が検出された場合、抽出された枠内の上記画像データの内容を検出された色のうち１つの色に変換する色変換手段とを備えたことを特徴とする画像処理装置。
【請求項２】
上記色変換手段は、上記１つの色を、上記原稿に塗られた面積の大きい方又は小さい方の色に変換する請求項１に記載の画像処理装置。
【請求項３】
上記色検出手段が検出した色からユーザに何れか１つの色を選択させる選択手段を備え、
上記色変換手段は、上記１つの色をユーザに選択された色とする請求項１に記載の画像処理装置。
【発明の詳細な説明】
【技術分野】
【０００１】
本発明は、カラーの画像データの作成を補助する画像処理装置に関する。
【背景技術】
【０００２】
図表や絵などを用いたカラー原稿を色鉛筆やマジック等を用いて手書きにて作成する場合、カラーで塗り潰す領域を色鉛筆やマジックにて塗り潰さなければならない。塗り潰す領域が大きい場合や、多数ある場合は、このような作業は大変面倒である。
【０００３】
このような塗り潰しの手間を省く事が出来る画像処理装置が特開平５−１４５７７６号公報に開示されている。この公報によると、例えばシアンに塗り潰したい領域がある場合、領域内に「シアン」の文字を書き、「シアン」の文字が記載された原稿を画像処理装置に読み取らせると、原稿の画像データを生成する際に、画像処理装置が「シアン」の文字が記載された領域の画像データをシアンの色に変換する。よって、原稿の画像データを印刷すると、「シアン」の文字が記載されていた領域がシアンの色で印刷されるので、ユーザはシアンで塗り潰さなくても、シアンで塗り潰された原稿を得ることができる。
【特許文献１】特開５−１４５７７６号公報
【発明の開示】
【発明が解決しようとする課題】
【０００４】
しかしながら、上記公報の画像処理装置を使用する場合は、塗り潰す色を色名で指定することとなるために、同じ色名であっても、その色名からユーザの想像する色味と画像処理装置が印刷する色味が異なる場合があり、必ずしもユーザの希望している色で印刷が行なわれるわけではない。
【０００５】
また、画像処理装置は記載された色名に基づいて変換する色を決定するため、原稿に記載できる色名は、画像処理装置が色名であるとして認識することが可能な文字列で構成しなければならない。従って、例えば、「きみどり」と原稿に記載しても、画像処理装置が「きみどり」を色名でなく、単に文字列と認識した場合、「きみどり」が記載された領域がきみどり色で塗り潰された原稿を得ることができない。
【０００６】
そこで、本発明は、塗り潰しを行なわなくて、ユーザの希望する色で塗られた原稿の生成を補助することができる画像処理装置を提供することを目的とする。
【課題を解決するための手段】
【０００７】
本発明の画像処理装置は、原稿を読み取って原稿の画像データを生成する画像読取手段と、上記画像データから上記原稿に記載された枠を抽出する枠抽出手段と、上記原稿の抽出された枠内に塗られた色を上記画像データを用いて検出する色検出手段と、複数の色が検出された場合、抽出された枠内の上記画像データの内容を検出された色のうち１つの色に変換する色変換手段とを備える。
【０００８】
枠抽出手段にて抽出される枠は、例えば、１つ又は複数の特定の色で原稿に記述された一定の領域を囲む図形である。この枠内の一部が、例えば、原稿の地色と異なる色が塗られている場合は、上記色検出手段は、原稿の地色と、この地色と異なる塗られた色を検出する。色変換手段は、原稿の地色と、塗られた色の２色が検出されると、何れか一方の色に、枠内に対応する画像データの内容を変換する。もちろん枠内の一部が原稿の地色と異なる複数の色で塗られている場合は、原稿の地色と複数の色が検出され、色変換手段は、原稿の地色と、塗られた複数の色のうち、何れか一方の色に、枠内に対応する画像データの内容を変換する。
【０００９】
また、枠内全体が原稿の地色と異なる複数の地色で塗られている場合は、原稿の地色と異なる複数の色が検出され、色変換手段は、塗られている色のうち、いずれか一方の色に、枠内に対応する画像データの内容を変換する。
【発明の効果】
【００１０】
以上のように、本発明の画像処理装置によれば、枠内の一部をユーザが塗り潰したい色で塗れば、枠内の全体がユーザの塗り潰したい色となった画像データを生成する事ができる。
【発明を実施するための最良の形態】
【００１１】
以下、本実施の形態を図面にしたがって詳細に説明する。
【００１２】
図１は、本実施の形態における画像処理装置１００における外観図である。図１に示すように、画像処理装置１００は、プラテン１０６又はＡＤＦ（Auto  Document  Feeder）の原稿台１０７に載置された原稿を読み取るスキャナ部１０１と、スキャナ部１０１で読み取られた原稿の複写用のトナー画像を生成して、給紙カセット１０３に格納された用紙に印刷する作像部１０２と、トナー画像が印刷された用紙が排紙される排紙トレイ１０４を備えている。更に、画像処理装置１００は、ユーザが印刷、原稿の読取等の命令を画像処理装置１００に入力するための操作パネル１０５が備えられている。
【００１３】
画像処理装置１００は、スキャナ部１０１にて読み取られた原稿を２通りの生成モードで原稿の画像データを生成することができる。２つの生成モードのうち１つは、原稿を忠実に再現した画像データを生成する通常モードであり、もう１つの読取モードは、原稿の一部に塗られた色で原稿の特定の領域を塗り潰した画像データを生成する塗潰モードである。いずれの生成モードを使用するかは、操作パネル１０５からユーザ等が指定することができる。
【００１４】
操作パネル１０５には、通常モードキーと塗潰モードキーとが表示され、ユーザが何れかのキーを押下することで、図２に示す画像読取手段２０１にユーザが押下したキーが認識される。
【００１５】
ここでは、ユーザが塗潰モードを使用して、原稿の画像データの生成を画像処理装置１００に行わせるものとする。ユーザは、まず塗潰モードキーを押下して、図１に示すプラテン１０６に原稿を載置して、操作パネル１０５に表示されたスタートキーを押下する。
【００１６】
ここで、プラテン１０６に載置される原稿３０は、図３に示すように、３つの領域が黒色の枠３１、３２、３３で囲まれ、枠３２で囲まれた領域の一部３２ａが赤で塗られ、枠３３で囲まれた領域の一部３３ａが青で塗られているものとする。
【００１７】
スタートキーが押下されると、画像読取手段２０１は、スキャナ部１０１に設けられたスキャナユニットを用いてプラテン１０６に載置された原稿の読取を行なう（図５、Ｓ５０１）。スキャナユニットは、図４に示すようにプラテン１０６の下方に備えられており、光源３０１、ミラー３０２、３０３、３０４、集光レンズ３０５、ＣＣＤ３０６から構成されている。
【００１８】
画像読取手段２０１は、プラテン１０６に載置された原稿を読み取る場合は、光源３０１を発光させてプラテンを照射した状態で、光源３０１、ミラー３０２、３０３、３０４を副走査方向（矢印Ｘ方向）に移動させる。これにより、プラテン１０６に載置された原稿で反射した光源３０１からの光は、ミラー３０２、３０３、３０４で反射し、集光レンズ３０５を介してＣＣＤ３０６に受光される。ＣＣＤ３０６は、受光された光を電気信号に変換して、電気信号を原稿の画像データとして出力する（図５、Ｓ５０２）。画像読取手段２０１は、塗潰モードキーが押下されている場合は、この出力された画像データを、色検出手段２０２と、枠抽出手段２０３に入力する。塗潰モードキーが押下されていない場合は、画像読取手段２０１は、ＣＣＤ３０６から出力された画像データを記憶手段２０６に入力する。
【００１９】
色検出手段２０２は、画像データが入力されると、画像データを構成する全画素の色を認識する。
【００２０】
一方、枠抽出手段２０３は、画像データが入力されると、画像データから枠の抽出を行なう（図５、Ｓ５０３）。本実施の形態においては、枠は、図３の枠３１、３２、３３のように一定の領域を囲んだ原稿に記載された黒色の図形をいう。従って、ここでは、枠抽出手段２０３は枠３１、３２、３３を抽出する。枠抽出手段２０３は、抽出した枠３１、３２、３３に囲まれたそれぞれの枠内の画像データを構成する画素を色変換手段２０４に通知する。
【００２１】
色変換手段２０４は各枠内の画素が通知されると、通知された画素の色を色検出手段２０２から取得する。図３に示すように、枠３１内は何も塗られていないので、ここで取得された枠３１内の色は原稿３０の地色である。一方、上記したように、枠３２内の一部３２ａは赤で塗られているので、ここで取得された枠３２内の色は原稿の地色と赤の２色である。また、上記したように、枠３３内の一部３３ａは青で塗られているので、ここで取得された枠３３内の色は原稿の地色と青の２色である（図５、Ｓ５０４）。
【００２２】
色変換手段２０４は、枠３２、３３のように、２つ以上の色が取得された枠に関しては、取得された色のうち何れか１つを選択する。
【００２３】
この選択方法は、例えばユーザに取得された色を提示して、ユーザに選択させる方法や、色変換手段２０４が、各色の枠内に占める面積に基づいて決定する方法などを用いることができる。各色の枠内に占める面積は、その色の画素数に基づいて決定することができる。
【００２４】
画像処置装置１００では、ユーザに選択させる方法も実現するために、色変換手段２０４は、２色以上取得できた枠がある場合、色変換手段２０２または枠抽出手段２０３から画像データを取得する。
【００２５】
画像データを取得すると、色変換手段２０４は、取得した画像データを操作パネル１０５に表示するために、画像データからサムネイルを作成する。次に、色変換手段２０４は、作成したサムネイルを構成する画素のうち、２色以上取得できた枠の画素を特定する枠情報を作成する。原稿３０については、２色以上取得できる枠が２つ（枠３２、３３）あるので、枠３２、３３の枠情報が作成される。枠情報を作成すると、色変換手段２０４は、枠情報とサムネイルを選択手段２０５に入力する。
【００２６】
選択手段２０５は、枠情報とサムネイルが入力されると、操作パネル１０５にサムネイルをまず表示する。次に、選択手段２０５は、操作パネル１０５に表示されたサムネイルのうち１つの枠情報が示す枠を点滅させ、ユーザに点滅した枠についての色の選択を行なわせる。本実施の形態では、枠情報が２つあるので、選択手段２０５は、まず枠３２の枠情報に基づいて枠３２を点滅させる。
【００２７】
ユーザに色の選択を行わせる方法は、例えば点滅している枠の中でユーザが選択したい色で表示されている領域をユーザが押下することで行なわせる方法が考えられる。この場合、選択手段２０５は、ユーザに押下された領域に表示された色を選択された色として認識する。即ち、ユーザが枠３２内の赤色の部分３２ａを押下した場合は、選択手段２０５は、赤と認識し、その他の部分が押下された場合は、原稿の地色と認識する。
【００２８】
本実施の形態のように、枠情報が複数ある場合は、選択手段２０５は、１つの枠についてのユーザに選択された色を認識すると、他の枠情報が示す枠を点滅させて、他の枠情報が示す枠についての色の選択を上記のようにしてユーザに行なわせて、選択された色を認識する。
【００２９】
選択手段２０５は、上記の方法などによってユーザが選択した色を認識すると、各枠における選択された色を色変換手段２０４に通知する。
【００３０】
色変換手段２０４は、色検出手段２０２または枠抽出手段２０３から取得した画像データの各枠内の画素の画像データの内容を通知された色に変換する（図５、Ｓ５０５）。これにより、枠３２、３３に囲まれた枠内の画像データが、ユーザの選択したい色や枠内に占める面積が最大又は最小の色となる。
【００３１】
よって、枠３２、３３で囲まれた領域を赤や青などで塗り潰さなくても、色検出手段２０２内に枠３２が赤色、枠３３が青色で塗り潰された原稿の画像データが形成される。
【００３２】
色変換手段２０４は、画像データについて上記のように色を変換すると、この画像データを記憶手段２０６に入力する。
【００３３】
記憶手段２０６に記憶された画像データは、印刷手段２０７によって自動的に印刷されたり、操作パネル１０５からユーザが印刷指示を入力することで印刷手段２０７が印刷したりする。印刷されることで、ユーザは、枠３２、３３で囲まれた領域が赤や青で塗り潰された原稿を得る事が出来る。
【００３４】
なお、黒色で塗り潰す目的ではなく、文字や数字等を黒色で原稿の枠内に記載する場合があるので、上記色変換手段２０４は、色検出手段２０２から黒色を取得した場合は、取得した色の数が３以上である場合にのみ、取得した色のうちいずれか１つを選択するようにしてもよい。
【図面の簡単な説明】
【００３５】
【図１】本実施の形態における画像処理装置の外観図。
【図２】本実施の形態における画像処理装置の機能ブロック図。
【図３】本実施の形態における原稿の模式図。
【図４】本実施の形態におけるスキャナ部の概要図。
【図５】本実施の形態における画像データの生成の手順を示すフロー図。
【符号の説明】
【００３６】
１００  画像処理装置
２０１  画像読取手段
２０２  色検出手段
２０３  枠抽出手段
２０４  色変換手段
２０５  選択手段
２０６  記憶手段
２０７  印刷手段
【図１】
2006238385.tif 000003
【図２】
2006238385.tif 000004
【図３】
2006238385.tif 000005
【図４】
2006238385.tif 000006
【図５】
2006238385.tif 000007